(57)【要約】    【課題】      基地局が許容できる数に左右されることなく、多数の移動機にブロードキャスト情報を同時に送信できるようにすること。    【解決手段】  ＣＰＵ１０９は、受信された着信情報信号のＩＤ値が自移動機が属するグループ宛である場合は着信情報信号を受信し、受信された着信情報信号のＩＤ値が自移動機が属するグループ宛である場合はそのＩＤ値をテンポラリＩＤバッファ１０６に保存する。そして、ブロードキャストＩＤバッファ１０７に保存してあるブロードキャストＩＤと一致するか否かを判断し、一致する場合は、基地局に着信応答信号を送信することなくブロードキャスト情報を連続受信する。  【選択図】      図１
2005311427.tif 000002
【特許請求の範囲】
【請求項１】
基地局が多数の移動機にブロードキャスト情報を送信する移動通信システムにおいて、前記移動機は、移動機が属するグループ宛の信号が送られてくることを示す着信情報信号を受信する手段と、前記着信情報信号が自移動機の属するグループ宛であるとき、移動機宛の信号であることを示す着信種類信号を受信する手段と、前記着信種類信号のＩＤ値が保存しているブロードキャストＩＤと一致した場合に前記ブロードキャスト情報の連続受信を行う手段と、を具備することを特徴とする移動通信システム。
【請求項２】
移動機は、以前に受信した着信種類信号のＩＤ値の時間情報を既報情報として保存する手段と、受信した着信種類信号のＩＤ値が保存しているブロードキャストＩＤと一致した場合に、既に受信された着信種類信号であるか否かを前記既報情報である時間情報を用いて検出する手段と、既に受信された着信種類信号であることが検出された場合に前記ブロードキャスト情報の連続受信を行わないと判断する手段と、を具備することを特徴とする請求項１記載の移動通信システム。
【請求項３】
移動機は、基地局から前記着信種類信号に併せて送られてくる前記ブロードキャスト情報ＩＤを既報情報として保存する手段と、受信した着信種類信号のＩＤ値が保存しているブロードキャストＩＤと一致した場合に既に受信された着信種類信号であるか否かを受信したブロードキャスト情報ＩＤと前記既報情報であるブロードキャスト情報ＩＤとの一致不一致を調べて検出する手段と、既に受信された着信種類信号であることが検出された場合に前記ブロードキャスト情報の連続受信を行わないと判断する手段と、を具備することを特徴とする請求項１記載の移動通信システム。
【請求項４】
移動機は、前記既に受信された着信種類信号であることが検出されない場合において、受信された着信種類信号のＩＤと自移動機のＩＤとの一致不一致を検出する手段と、一致が検出された場合に、前記ブロードキャスト情報の連続受信を行った後に前記着信応答信号を基地局に送信する手段と、を具備することを特徴とする請求項２又は請求項３記載の移動通信システム。
【請求項５】
移動機は、前記受信された着信種類信号のＩＤと自移動機のＩＤとの一致が検出されない場合において、基地局への送信規制を行う手段と、を具備することを特徴とする請求項４記載の移動通信システム。
【請求項６】
移動機は、受信した着信種類信号のＩＤ値がブロードキャストＩＤと一致しない場合において、自移動機のＩＤと一致した場合に、前記着信応答信号を基地局に送信する手段、を具備することを特徴とする請求項１から請求項５のいずれかに記載の移動通信システム。
【請求項７】
基地局が多数の移動機にブロードキャスト情報を送信する移動通信システムにおいて、基地局は、移動機が属するグループ宛の信号が送られてくることを示す着信情報信号と移動機宛の信号であることを示す着信種類信号とをこの順に送信し、その後、ブロードキャスト情報を連続送信することと、前記着信情報信号と前記着信種類信号とをこの順に送信し、その後、着信応答信号を受信して対応する移動機にブロードキャスト情報を送信することとを行い、移動機は、受信した前記着信情報信号が自移動機の属するグループ宛であるとき前記着信種類信号を受信し、その受信した着信種類信号のＩＤ値が保存しているブロードキャストＩＤと一致した場合に前記ブロードキャスト情報の連続受信を行う、ことを特徴とする移動通信システムにおけるブロードキャスト情報の通信方法。
【発明の詳細な説明】
【技術分野】
【０００１】
本発明は、基地局が多数の移動機にブロードキャスト情報を送信する移動通信システム及び移動通信システムにおけるブロードキャスト情報の通信方法に関する。
【背景技術】
【０００２】
従来、移動通信システムでは、基地局が移動機に個人宛情報を送信することが行われている（例えば特許文献１）。以下、その概要を図１１を参照して説明する。図１１は、従来の移動通信システムにおいて実施されている個人宛情報の通信方法を説明するフローチャートである。なお、図１１において、着信情報信号は、自移動機が属するグループ宛の信号が送られてくるという内容が含まれている信号である。また、着信種類信号は、自移動機宛の信号であるという内容が含まれている信号である。
【０００３】
図１１において、間欠受信中に移動機は、着信情報信号を受信するとデコードし（ステップＳＴ１１０１）、受信した着信情報信号のＩＤ値を調べて自移動機が属するグループ宛の信号であるか否かを判定する（ステップＳＴ１１０２）。
【０００４】
ステップＳＴ１１０２の判定結果、受信した着信情報信号のＩＤ値が自移動機が属するグループのＩＤ値と一致する場合は（ステップＳＴ１１０２：Ｙｅｓ）、着信種類信号を受信してデコードし（ステップＳＴ１１０３）、受信した着信種類信号のＩＤ値を調べて自移動機宛の信号であるか否かを判定する（ステップＳＴ１１０４）。
【０００５】
ステップＳＴ１１０４の判定結果、受信した着信種類信号のＩＤ値が自移動機のＩＤ値と一致する場合は（ステップＳＴ１１０４：Ｙｅｓ）、着信応答信号を送信し（ステップＳＴ１１０５）、個人宛情報の連続受信に移行する（ステップＳＴ１１０６）。そして、連続受信を終了すると間欠受信状態に移行する（ステップＳＴ１１０７）。また、ステップＳＴ１１０４の判定結果、受信した着信種類信号のＩＤ値が自移動機のＩＤ値と一致しない場合は（ステップＳＴ１１０４：Ｎｏ）、間欠受信に移行する（ステップＳＴ１１０７）。
【０００６】
一方、ステップＳＴ１１０２の判定結果、受信した着信情報信号のＩＤ値が自移動機が属するグループのＩＤ値と一致しない場合は（ステップＳＴ１１０２：Ｎｏ）、その受信した着信情報信号を無視するか否かを判定する（ステップＳＴ１１０８）。そして、受信した着信情報信号を無視する場合は（ステップＳＴ１１０８：Ｙｅｓ）、着信種類信号を受信し（ステップＳＴ１１０３）、ステップＳＴ１１０４の判定処理に進むが、受信した着信情報信号を無視しない場合は（ステップＳＴ１１０８：Ｎｏ）、間欠受信に移行する（ステップＳＴ１１０７）。
【０００７】
このように、従来の移動通信システムでは、移動機は自移動機宛の着信種類信号を受信すると、着信応答信号を基地局に送信し、個人宛情報の連続受信に移行するようにしている。
【特許文献１】特開２０００−１１５０６６号公報
【発明の開示】
【発明が解決しようとする課題】
【０００８】
しかしながら、従来の移動通信システムでは、基地局圏内に存在する全ての移動機に例えば緊急警報情報などのブロードキャスト情報を送信する場合に、多数の移動機から着信応答信号が基地局に送信されるが、その中で基地局が着信応答信号を受信できた移動機のみがブロードキャスト情報の受信が可能となる。このため、基地局は許容できる数以上の移動機に対してブロードキャスト情報を送信することができないという問題があった。
【０００９】
また、多数の移動機が同時に着信応答信号を送信するので、移動機間で干渉が起こり、基地局は誤った信号を受け易いという問題もあった。
【００１０】
本発明は、かかる点に鑑みてなされたものであり、基地局が許容できる数に左右されることなく、多数の移動機にブロードキャスト情報を同時に送信することのできる移動通信システム及び移動通信システムにおけるブロードキャスト情報の通信方法を提供することを目的とする。
【課題を解決するための手段】
【００１１】
かかる課題を解決するため、本発明では、基地局が多数の移動機にブロードキャスト情報を送信する移動通信システムにおいて、前記移動機は、移動機が属するグループ宛の信号が送られてくることを示す着信情報信号を受信する手段と、前記着信情報信号が自移動機の属するグループ宛であるとき、移動機宛の信号であることを示す着信種類信号を受信する手段と、前記着信種類信号のＩＤ値が保存しているブロードキャストＩＤと一致した場合に前記ブロードキャスト情報の連続受信を行う手段と、を具備する構成を採る。
【００１２】
この構成によれば、基地局が多数の移動機にブロードキャスト情報を送信する場合、基地局は、移動機から同時に多数の着信応答信号が送信されることがないので、許容できる移動機の数に左右されることなく、多数の移動機にブロードキャスト情報を同時に送信することができる。その結果、例えば、ある地域に災害が起こり、緊急連絡センターが住民に緊急連絡を行いたい場合において、その地域に居る人全てに早急に緊急連絡情報を伝達することができるようになる。
【００１３】
また、本発明の移動通信システムは、上記の発明において、移動機は、以前に受信した着信種類信号のＩＤ値の時間情報を既報情報として保存する手段と、受信した着信種類信号のＩＤ値が保存しているブロードキャストＩＤと一致した場合に、既に受信された着信種類信号であるか否かを前記既報情報である時間情報を用いて検出する手段と、既に受信された着信種類信号であることが検出された場合に前記ブロードキャスト情報の連続受信を行わないと判断する手段と、を具備する構成を採る。
【００１４】
この構成によれば、移動機の持つ既報時間を用いることによって一度受信した着信種類信号のＩＤを認識することができるので、何度も同じ着信種類信号を受信することなく、ブロードキャスト情報をを確実に１回は受信することができる。例えば、ある地域に災害が起こり、緊急連絡センターがその地域に居る人、さらにはその地域に入る人全てに緊急連絡を行いたい場合には、緊急連絡センターは、ある一定の時間同様の緊急連絡情報を送信する必要がある。この構成によれば、その場合において、全ての人がブロードキャスト情報を確実に１回は受信することができる。
【００１５】
また、本発明の移動通信システムは、上記の発明において、移動機は、基地局から前記着信種類信号に併せて送られてくる前記ブロードキャスト情報ＩＤを既報情報として保存する手段と、受信した着信種類信号のＩＤ値が保存しているブロードキャストＩＤと一致した場合に既に受信された着信種類信号であるか否かを受信したブロードキャスト情報ＩＤと前記既報情報であるブロードキャスト情報ＩＤとの一致不一致を調べて検出する手段と、既に受信された着信種類信号であることが検出された場合に前記ブロードキャスト情報の連続受信を行わないと判断する手段と、を具備する構成を採る。
【００１６】
この構成によれば、基地局が着信種類信号に併せて送信するブロードキャスト情報ＩＤを既報情報として用いることによって一度受信した着信種類信号のＩＤを認識することができるので、何度も同じ着信種類信号を受信することなく、ブロードキャスト情報を確実に１回は受信することができる。
【００１７】
また、本発明の移動通信システムは、上記の発明において、移動機は、前記既に受信された着信種類信号であることが検出されない場合において、受信された着信種類信号のＩＤと自移動機のＩＤとの一致不一致を検出する手段と、一致が検出された場合に、前記ブロードキャスト情報の連続受信を行った後に前記着信応答信号を基地局に送信する手段と、を具備する構成を採る。
【００１８】
この構成によれば、特定の人物のみが着信応答信号を基地局に送信するので、その特定の人物は、基地局からのブロードキャスト情報を連続受信した後に、早急に通話を行うことができる。例えば，ある地域に災害が起こった場合に、緊急連絡センターは住民にはブロードキャスト情報を送り、市長とは早急に通話を行うことができるようになる。
【００１９】
また、本発明の移動通信システムは、上記の発明において、移動機は、前記受信された着信種類信号のＩＤと自移動機のＩＤとの一致が検出されない場合において、基地局への送信規制を行う手段と、を具備する構成を採る。
【００２０】
この構成によれば、移動機の送信を規制するので、緊急時に通信回線が混雑するのを防止することができ、重要な回線の確保が可能になる。
【００２１】
また、本発明の移動通信システムは、上記の発明において、移動機は、受信した着信種類信号のＩＤ値がブロードキャストＩＤと一致しない場合において、自移動機のＩＤと一致した場合に、前記着信応答信号を基地局に送信する手段を具備する構成を採る。
【００２２】
この構成によれば、例えば災害地の余所から参入する移動機などにも、個別にブロードキャスト情報の送信が行えるようなる。
【００２３】
また、本発明の移動通信システムにおけるブロードキャスト情報の通信方法は、基地局が多数の移動機にブロードキャスト情報を送信する移動通信システムにおいて、基地局は、移動機が属するグループ宛の信号が送られてくることを示す着信情報信号と移動機宛の信号であることを示す着信種類信号とをこの順に送信し、その後、ブロードキャスト情報を連続送信することと、前記着信情報信号と前記着信種類信号とをこの順に送信し、その後、着信応答信号を受信して対応する移動機にブロードキャスト情報を送信することとを行い、移動機は、受信した前記着信情報信号が自移動機の属するグループ宛であるとき前記着信種類信号を受信し、その受信した着信種類信号のＩＤ値が保存しているブロードキャストＩＤと一致した場合に前記ブロードキャスト情報の連続受信を行うようにした。
【００２４】
この方法によれば、基地局が多数の移動機にブロードキャスト情報を送信したい場合、移動機から同時に多数の着信応答信号が送信されることがないので、基地局は許容できる移動機の数に左右されることなく、多数の移動機にブロードキャスト情報を同時に送信することができる。
【発明を実施するための最良の形態】
【００２５】
本発明の骨子は、基地局が多数の移動機にブロードキャスト情報を送信する移動通信システムにおいて、基地局に、移動機が属するグループ宛の信号が送られてくることを示す着信情報信号と移動機宛の信号であることを示す着信種類信号とをこの順に送信し、その後、着信応答信号を受信して対応する移動機にブロードキャスト情報を連続送信する機能に加えて、着信情報信号と着信種類信号とをこの順に送信した後に、着信応答信号の受信有無とは無関係にブロードキャスト情報を連続送信する機能を設け、移動機は、受信した着信種類信号のＩＤ値が保存しているブロードキャストＩＤと一致した場合に、着信応答信号を基地局に送信することなく、連続受信に移行することができるようにし、基地局が許容できる数以上の移動機がブロードキャスト情報を受信できるようにする。このとき、移動機では、同じ内容のブロードキャスト情報を何回も受信しないで済むようにする。また、移動機は、受信した着信種類信号のＩＤ値が保存しているブロードキャストＩＤと一致する場合に、自移動機のＩＤと一致したときは連続受信を行った後に着信応答信号を送信し、基地局から個別に当該移動機宛のブロードキャスト情報を受信できるようし、特定人物との通信が行えるようにする一方、自移動機のＩＤと一致しないときは送信規制を行って緊急時の回線輻輳を防ぎ、上記した特定人物との通信回線の確保が行えるようにすることである。
【００２６】
以下、本発明の実施の形態について図面を参照して詳細に説明する。
【００２７】
（実施の形態１）
図１は、本発明の実施の形態１に係る移動通信システムにおける移動機の構成を示すブロック図である。図１に示す移動機は、受信信号の復調と送信信号の変調とを行う無線・変復調部１０１、受信した着信情報信号をデコードする着信情報信号デコーダ部１０２、受信した着信種類信号をデコードする着信種類信号デコーダ部１０３、連続受信を行っている受信信号をデコードする連続受信信号デコーダ部１０４、基地局に送信する着信応答信号をエンコードする着信応答信号エンコーダ部１０５、受信した着信種類信号のＩＤを保存するテンポラリＩＤバッファ１０６、自移動機が受け取るブロードキャスト情報のＩＤを予め保存しているブロードキャストＩＤバッファ１０７、自移動機のＩＤを保存している自局ＩＤバッファ１０８、及び以上の各要素を制御する通信制御部（以降「ＣＰＵ」と記す）１０９を備えている。
【００２８】
図１では、移動機のみの構成を示したが、基地局は、移動機が属するグループ宛の信号が送られてくることを示す着信情報信号と移動機宛の信号であることを示す着信種類信号とをこの順に送信し、その後、ブロードキャスト情報を連続送信する機能と、前記着信情報信号と前記着信種類信号とをこの順に送信し、その後、着信応答信号を受信して対応する移動機にブロードキャスト情報を連続送信する機能とを備えている。
【００２９】
次に、図２を参照して、以上のように構成された実施の形態１に係る移動機の受信動作について説明する。なお、図２は、図１に示す移動機の受信動作を説明するフローチャートである。
【００３０】
図２において、移動機では、間欠受信中に受信される着信情報信号が無線・変復調部１０１にて復調され、着信情報信号デコーダ部１０２にてデコードされ、ＣＰＵ１０９に入力される（ステップＳＴ２０１）。ＣＰＵ１０９は、受信された着信情報信号のＩＤ値が自移動機が属するグループ宛であるか否かを判断する（ステップＳＴ２０２）。
【００３１】
ＣＰＵ１０９は、受信された着信情報信号のＩＤ値が自移動機が属するグループ宛である場合は（ステップＳＴ２０２：Ｙｅｓ）、無線・変復調部１０１に指示を出して着信種類信号を受信させる。受信された着信種類信号は、無線・変復調部１０１にて復調され、着信種類信号デコーダ部１０３にてデコードされ、ＣＰＵ１０９に入力される（ステップＳＴ２０３）。
【００３２】
ＣＰＵ１０９は、受信された着信種類信号のＩＤ値をテンポラリＩＤバッファ１０６に保存し、ブロードキャストＩＤバッファ１０７に保存してあるブロードキャストＩＤと一致するか否かを判断する（ステップＳＴ２０４）。
【００３３】
その結果、一致する場合は（ステップＳＴ２０４：Ｙｅｓ）、ＣＰＵ１０９は、無線・変復調部１０１に指示を出してブロードキャスト情報の連続受信に移行させる（ステップＳＴ２０７）。ブロードキャスト情報の連続受信信号は、無線・変復調部１０１にて復調され、連続受信信号デコーダ部１０４にてデコードされ、保存される。そして、ＣＰＵ１０９は、ブロードキャスト情報の連続受信が終了したことを判断すると、無線・変復調部１０１に指示を出して間欠受信状態に移行する（ステップＳＴ２０８）。
【００３４】
また、ステップＳＴ２０４において、受信された着信種類信号のＩＤ値とブロードキャストＩＤとが一致しない場合は（ステップＳＴ２０４：Ｎｏ）、ＣＰＵ１０９は、着信種類信号のＩＤ値と自局ＩＤバッファ１０８に保存してある自移動機のＩＤと一致するか否かを判断する（ステップＳＴ２０５）。その結果、一致しない場合は（ステップＳＴ２０５：Ｎｏ）、ＣＰＵ１０９は、無線・変復調部１０１に指示を出して間欠受信状態に移行する（ステップＳＴ２０８）。
【００３５】
一方、ステップＳＴ２０５の判断結果、着信種類信号のＩＤ値と自移動機のＩＤとが一致する場合は（ステップＳＴ２０５：Ｙｅｓ）、ＣＰＵ１０９は、着信応答信号エンコーダ部１０５に指示を出して着信応答信号をエンコードさせる。この着信応答信号は、無線・変復調部１０１にて変調され基地局に送信される（ステップＳＴ２０６）。その後、ＣＰＵ１０９は、個人宛情報の連続受信に移行し（ステップＳＴ２０７）、連続受信が終了したことを判断すると、完結受信状態に移行する（ステップＳＴ２０８）。
【００３６】
また、ステップＳＴ２０２において、受信された着信情報信号のＩＤ値が自移動機が属するグループ宛ではない場合は（ステップＳＴ２０２：Ｎｏ）、ＣＰＵ１０９は、受信された着信情報信号を無視するか否かを予め設定された内容に従って判断する（ステップＳＴ２０９）。その結果、無視する場合は（ステップＳＴ２０９：Ｙｅｓ）、ＣＰＵ１０９は、無線・変復調部１０１に指示を出して着信種類信号を受信する（ステップＳＴ２０３）。ステップ２０４以降の上記した処理が行われる。一方、無視しない場合は（ステップＳＴ２０９：Ｎｏ）、ＣＰＵ１０９は、無線・変復調部１０１に指示を出し、そのまま間欠受信状態に移行する（ステップＳＴ２０８）。
【００３７】
このように、実施の形態１によれば、移動機は、受信した着信種類信号のＩＤがブロードキャストＩＤと一致した場合に、基地局に着信応答信号を送信せず、ブロードキャスト情報の連続受信を行うようにしたので、基地局は、許容できる移動機の数に左右されることなく、多数の移動機にブロードキャスト情報を同時に送信することができ、多数の移動機が同時に基地局からブロードキャスト情報を受信することできる。そのため、例えば、ある地域に災害が起こり、緊急連絡センターが住民に緊急警報メッセージ(メールなど)を送りたい場合に、基地局の許容数に左右されることなく、また移動機が送信する信号の干渉に影響されることなく、多数の移動機に緊急警報メッセージを送信することができる。
【００３８】
また、移動機は、受信した着信種類信号のＩＤがブロードキャストＩＤと一致しない場合に、自移動局のＩＤと一致した時は、基地局に着信応答信号を送信するので、例えば、ある地域に災害が起こり、他の地域から参入する移動機に対して個別に緊急警報メッセージを送信することができる。
【００３９】
（実施の形態２）
図３は、本発明の実施の形態２に係る移動通信システムにおける移動機の構成を示すブロック図である。なお、図３では、図１（実施の形態１）に示した構成要素と同一ないしは同等である構成要素には同一の符号が付されている。ここでは、実施の形態２に関わる部分を中心に説明する。
【００４０】
即ち、図３に示すように、実施の形態２では、図１（実施の形態１）に示した構成において、テンポラリＩＤバッファ１０６に代えてテンポラリＩＤバッファ３０１が設けられ、ブロードキャストＩＤバッファ１０７に代えてブロードキャストＩＤバッファ３０２が設けられ、時間情報３０３が追加されている。それに伴い、ＣＰＵ１０９に代えてＣＰＵ３０４が設けられている。なお、基地局の機能は、実施の形態１と同様である。
【００４１】
ブロードキャストＩＤバッファ３０２には、以前に受信した着信種類信号のＩＤ値の時間情報が既報時間として保存される既報時間バッファ３０５が設けられている。
【００４２】
次に、図４を参照して、以上のように構成される実施の形態２に係る移動機の動作について説明する。なお、図４では、図２に示した処理手順と同一の処理手順には、同一の符号が付されている。即ち、図４では、図２に示したステップＳＴ２０３に代えてステップＳＴ４０１が設けられ、また、ステップＳＴ２０４の判断結果が肯定（Ｙｅｓ）のときの処理手順として、ステップＳＴ４０２とステップＳＴ４０３とが追加されている。
【００４３】
ステップＳＴ４０１では、ＣＰＵ３０４は、着信種類信号を受信したときに、ＣＰＵ１０９と同様に着信種類信号のＩＤ値をテンポラリＩＤバッファ３０１に保存するのに加えて、時間情報３０３から現在の時間情報を読み込み、最初に受信した場合は既報時間として既報時間バッファ３０５に保存し、その後に受信した場合は実際の受信時間としてテンポラリＩＤバッファ３０１に保存することを行う。
【００４４】
また、ステップＳＴ４０２では、ＣＰＵ３０４は、着信種類信号のＩＤ値とブロードキャストＩＤとが一致すると判断した場合（ステップＳＴ２０４：Ｙｅｓ）、そのブロードキャストＩＤと一致するＩＤ値を持つ着信種類信号が既に受信した着信種類信号であるか否か、つまり当該ブロードキャストＩＤが既報であるか否かを既報時間バッファ３０５から時間情報を読み出して判断する。この既に受信した着信種類信号であるか否かを判断方法には、種々考えられるが、ここでは、２つの方法を示す。
【００４５】
即ち、（１）第１の方法は、ＣＰＵ３０４は、ブロードキャストＩＤと一致するＩＤ値を持つ着信種類信号を時間８：００に受信していることを既報時間バッファ３０５から読み取り、その時刻をテンポラリＩＤバッファ３０１に保存した現在の時刻と比較し、一定の時間（例えば３０分）経っている場合は、既に受信した着信種類信号とは判断しない。つまり、まだ受信していないと判断する。また、一定の時間が経っていない場合は、既に受信した着信種類信号と判断する。
【００４６】
（２）また、第２の方法は、ＣＰＵ３０４は、定期的に時間情報３０３と既報時間バッファ３０５とを監視し、一定の時間が過ぎている場合は、既報時間バッファ３０５にまだ受信していない着信種類信号のＩＤであるという情報を書き込む。この場合、ＣＰＵ３０４は、既報時間バッファ３０５の情報を読み込むことで、既に受信した着信種類信号のＩＤであるか否かを判断することができる。なお、一定の時間は、予め設定されている、もしくは着信種類信号に含まれているとする。
【００４７】
ＣＰＵ３０４は、以上の方法で、まだ受信していない着信種類信号であると判断した場合（ステップＳＴ４０２：Ｎｏ）、ブロードキャストＩＤバッファ３０２内の既報時間バッファ３０５の時間情報を現在の時刻に更新し（ステップＳＴ４０３）、ブロードキャスト情報の連続受信動作に移行する(ステップＳＴ２０７)。一方、ＣＰＵ３０４は、ブロードキャストＩＤと一致するＩＤ値を持つ着信種類信号を既に受信した着信種類信号であると判断した場合は（ステップＳＴ４０２：Ｙｅｓ）、同じブロードキャスト情報の複数回受信を回避するために間欠受信状態に移行する（ステップＳＴ２０８）。
【００４８】
このように、実施の形態２によれば、以前に受信した着信種類信号のＩＤの時間情報を既報時間として保存し、受信した着信種類信号のＩＤが既報時間内と見なせる時間内に受信されたか否かを判断するようにしたので、一度受信した着信種類信号のＩＤを認識することができる。したがって、同じブロードキャスト情報を何度も受信することなく、確実に１回は受信することができる。
【００４９】
（実施の形態３）
図５は、本発明の実施の形態３に係る移動通信システムにおける移動機の構成を示すブロック図である。なお、図５では、図１（実施の形態１）に示した構成要素と同一ないしは同等である構成要素には同一の符号が付されている。ここでは、実施の形態３に関わる部分を中心に説明する。
【００５０】
即ち、図５に示すように、実施の形態３では、図１（実施の形態１）に示した構成において、テンポラリＩＤバッファ３０１に代えてテンポラリＩＤバッファ５０１が設けられ、ブロードキャストＩＤバッファ１０７に代えてブロードキャストＩＤバッファ５０２が設けられ、ＣＰＵ１０９に代えてＣＰＵ５０３が設けられている。
【００５１】
テンポラリＩＤバッファ５０１には、ブロードキャスト情報ＩＤテンポラリバッファ５０４が設けられている。ブロードキャストＩＤバッファ５０２には、ブロードキャスト情報ＩＤバッファ５０５が設けられている。ＣＰＵ５０３には、既報情報検出部５０６が設けられている。
【００５２】
また、基地局は、実施の形態１にて説明した機能に加えて、着信種類信号のＩＤ値と併せてブロードキャスト情報ＩＤを含んだ信号を送信する機能を備えている。
【００５３】
次に、図６を参照して、以上のように構成される実施の形態３に係る移動機の動作について説明する。なお、図６では、図２に示した処理手順と同一の処理手順には、同一の符号が付されている。即ち、図６では、図２に示したステップＳＴ２０３に代えてステップＳＴ６０１が設けられ、また、ステップＳＴ２０４の判断結果が肯定（Ｙｅｓ）のときの処理手順として、ステップＳＴ６０２とステップＳＴ６０３とが追加されている。
【００５４】
即ち、ステップＳＴ６０１では、ＣＰＵ５０３は、着信種類信号を受信したときに、ＣＰＵ１０９と同様に着信種類信号のＩＤ値をテンポラリＩＤバッファ５０１に保存するのに加えて、着信種類信号のＩＤ値と併せて送られてくるブロードキャスト情報ＩＤをブロードキャスト情報ＩＤテンポラリバッファ５０４に保存することを行う。
【００５５】
ここで、ブロードキャストＩＤバッファ５０２には、“Ａ”、“Ｂ”、“Ｃ”、“Ｄ”なるブロードキャストＩＤがそれぞれ保存されているとする。また、ブロードキャスト情報ＩＤバッファ５０５には、ブロードキャストＩＤ“Ａ”に対応したブロードキャスト情報ＩＤ“ａ”、ブロードキャストＩＤ“Ｂ”に対応したブロードキャスト情報ＩＤ“ｂ”、ブロードキャストＩＤ“Ｃ”に対応したブロードキャスト情報ＩＤ“ｃ”、ブロードキャストＩＤ“Ｄ”に対応したブロードキャスト情報ＩＤ“ｄ”がそれぞれ保存されるとする。なお、ブロードキャスト情報ＩＤの形式は、ＣＰＵ５０３に設けた既報情報検出部５０６が既報であることを検出可能であればよく、特に限定されるものではないことは言うまでもない。
【００５６】
また、ステップＳＴ６０２では、ＣＰＵ５０３は、着信種類信号のＩＤ値とブロードキャストＩＤとが一致すると判断した場合（ステップＳＴ２０４：Ｙｅｓ）、そのブロードキャストＩＤと一致するＩＤ値を持つ着信種類信号は既に受信した着信種類信号であるか否か、つまり当該ブロードキャストＩＤが既報であるか否かを、既報情報検出部５０６がブロードキャスト情報ＩＤテンポラリバッファ５０４から検出したブロードキャスト情報ＩＤと、ブロードキャスト情報ＩＤバッファ５０５に保存してあるブロードキャスト情報ＩＤとの一致不一致を調べて判断する。
【００５７】
つまり、ＣＰＵ５０３は、両ブロードキャスト情報ＩＤが一致した場合は、既に受信した着信種類信号であると判断し（ステップＳＴ６０２：Ｙｅｓ）、一致しない場合は、まだ受信していない着信種類信号であると判断する（ステップＳＴ６０２：Ｎｏ）。具体例を挙げて説明する。
【００５８】
即ち、ブロードキャスト情報ＩＤの形式を上記のように定めた場合において、着信種類信号のＩＤが“Ａ”であり、ブロードキャストＩＤであることが判断された場合にブロードキャスト情報ＩＤテンポラリバッファ５０４内のブロードキャスト情報ＩＤを確認し、それがブロードキャストＩＤ“Ａ”に対応したブロードキャスト情報ＩＤ“ａ”であった場合は、ブロードキャスト情報が一致したと判断でき、既に受信した着信種類信号であることが分かる。また、ブロードキャスト情報ＩＤテンポラリバッファ５０４内のブロードキャスト情報ＩＤがブロードキャストＩＤ“Ａ”に対応したブロードキャスト情報ＩＤ“ｆ”であった場合は、ブロードキャスト情報が一致しないと判断でき、まだ受信していない着信種類信号であることが分かる。
【００５９】
ＣＰＵ５０３は、以上の判断方法によって、まだ受信していない着信種類信号のＩＤであると判断した場合は（ステップＳＴ６０２：Ｎｏ）、ブロードキャスト情報ＩＤバッファ５０５内のブロードキャスト情報ＩＤを新しいブロードキャスト情報ＩＤに更新し（ステップＳＴ６０３）連続受信に移行する制御を行う（ステップＳＴ２０７）。また、ＣＰＵ５０３は、以上の判断方法によって、既に受信した着信種類信号のＩＤであると判断した場合は（ステップＳＴ６０２：Ｙｅｓ）、間欠受信に移行する制御を行う（ステップＳＴ２０８）。
【００６０】
ここで、基地局が行うブロードキャスト情報ＩＤの制御には、時間情報が考慮されている。例えば、基地局では、３０分経った場合に、ブロードキャストＩＤ“Ａ”に対応したブロードキャスト情報ＩＤ“ａ”からブロードキャストＩＤ“Ａ”に対応したブロードキャスト情報ＩＤ“ｆ”への切り替えが行われ、ブロードキャスト情報が送信される。
【００６１】
また、基地局は、移動機のブロードキャスト情報ＩＤバッファ５０５に保存されているブロードキャスト情報ＩＤをクリアする信号を送信するようになっている。上記の例で説明すると、移動機のブロードキャスト情報ＩＤバッファ５０５に保存されているブロードキャスト情報ＩＤは、ブロードキャストＩＤ“Ａ”に対応したブロードキャスト情報ＩＤ“ｆ”からブロードキャストＩＤ“Ａ”に対応したブロードキャスト情報ＩＤ“０”（クリア）となる。この場合、つまりクリア情報の場合は、まだ受信していない着信種類信号であると判断できる。
【００６２】
このように、実施の形態３によれば、既報情報にブロードキャスト情報ＩＤを用いて、既に受信した着信種類信号であるか否かを検出するようにしたので、一度受信した着信種類信号であることを認識することができる。したがって、実施の形態２と同様に、同じブロードキャスト情報を何度も受信することなく、確実に１回は受信することができる。
【００６３】
（実施の形態４）
図７は、本発明の実施の形態４に係る移動通信システムにおける移動機の構成を示すブロック図である。なお、図７では、図３（実施の形態２）に示した構成要素と同一ないしは同等である構成要素には同一の符号が付されている。ここでは、実施の形態４に関わる部分を中心に説明する。
【００６４】
即ち、図７に示すように、実施の形態４では、図３（実施の形態２）に示した構成において、ＣＰＵ３０４に代えてＣＰＵ７０１が設けられている。ＣＰＵ７０１は、着信応答制御部７０２を備えている。
【００６５】
次に、図８を参照して以上のように構成される実施の形態４に係る移動機の動作について説明する。なお、図８では、図４に示した処理手順と同一の処理手順には、同一の符号が付されている。即ち、図８では、図４に示したステップＳＴ４０３の処理手順の後に、ステップＳＴ８０１とステップＳＴ８０２とが追加されている。
【００６６】
図８において、ＣＰＵ７０１は、着信種類信号のＩＤ値がブロードキャストＩＤと一致すると判断し（ステップＳＴ２０４：Ｙｅｓ）、既にに受信した着信種類信号のＩＤではないと判断し（ステップＳＴ４０２：Ｎｏ）、既報時間バッファ３０５の時間情報を更新すると（ステップＳＴ４０３）、次にテンポラリＩＤバッファ３０１に保存してある着信種類信号のＩＤが自局ＩＤバッファ１０８に保存してある自移動機ＩＤと一致するか否かを判断する（ステップＳＴ８０１）。
【００６７】
ステップＳＴ８０１の判断結果、一致する場合、つまり自移動機宛の場合は（ステップＳＴ８０１：Ｙｅｓ）、ＣＰＵ７０１は、連続受信を行わせる制御を行った後に（ステップＳＴ８０２）、着信応答制御部７０２に着信応答信号を送信する制御を行わせる（ステップＳＴ２０６）。また、ステップＳＴ８０１の判断結果、一致しない場合は（ステップＳＴ８０１：Ｎｏ）、ブロードキャスト情報の連続受信に移行する（ステップＳＴ２０７）。
【００６８】
以下、具体例を挙げて説明する。即ち、ブロードキャストＩＤバッファ３０２には“Ａ”、“Ｂ”、“Ｃ”、“Ｄ”なるブロードキャストＩＤが保存されているとする。また、自局ＩＤバッファ１０８には、“Ａ”、“Ｂ”、“Ｅ”、“Ｆ”なる自移動機ＩＤが保存されているとする。
【００６９】
今、着信種類信号のＩＤ値が“Ａ”であった場合は、ブロードキャストＩＤ“Ａ”と一致すると判断し、既に受信した着信種類信号のＩＤと同じであるか否かを判断する。既報時間バッファ３０５に保存されている以前に受信した着信種類信号のＩＤ値“Ａ”の時刻が現在の時刻から一定時間以上 (例えば３０分以上）経過している場合は、自局ＩＤバッファ１０８に保存してある自移動機ＩＤ“Ａ”と一致すると判断し、ブロードキャスト情報の連続受信に移行し、連続受信を終了した後に着信応答信号を送信する。
【００７０】
また、着信種類信号ＩＤ値が“Ｃ”であった場合は、ブロードキャストＩＤ“Ｃ”と一致すると判断するが、これまでに受信していない着信種類信号のＩＤであると判断された場合は、自局ＩＤバッファ１０８に保存してある自移動機ＩＤ“Ａ”、“Ｂ”、“Ｅ”、“Ｆ”を調べて一致しないと判断し、ブロードキャスト情報の連続受信に移行し、連続受信終了後、間欠受信に移行する。但し、ブロードキャストＩＤ、自移動機ＩＤ、着信種類信号ＩＤの形式はこれに限定されるものではない。
【００７１】
このように、実施の形態４によれば、既報時間内と見なせる時間内に一度受信したと認識できた着信種類信号のＩＤ値が自移動機宛のＩＤと一致した場合は、ブロードキャスト情報の連続受信を行った後に着信応答信号を送信するようにしたので、着信応答信号を送信する特定の移動機を所持する特定の人物と早急に通話を行うことが可能となる。
【００７２】
なお、実施の形態４では、実施の形態２への適用例を示したが、実施の形態３にも同様に適用することができることは言うまでもない。
【００７３】
（実施の形態５）
図９は、本発明の実施の形態５に係る移動通信システムにおける移動機の構成を示すブロック図である。なお、図９では、図７（実施の形態４）に示した構成要素と同一ないしは同等である構成要素には同一の符号が付されている。ここでは、実施の形態５に関わる部分を中心に説明する。
【００７４】
即ち、図９に示すように、実施の形態５では、図７（実施の形態４）に示した構成において、送信制御装置９０１が追加されている。送信制御装置９０１は、当該移動機を送信動作が制限された状態に移行させる制御が行えるようになっている。
【００７５】
次に、図１０を参照して、以上のように構成される実施の形態５に係る移動機の動作について説明する。なお、図１０では、図８に示した処理手順と同一の処理手順には、同一の符号が付されている。即ち、図１０では、図８に示したステップＳＴ８０１の判断結果が否定（Ｎｏ）のときの処理手順として、ステップＳＴ１００１が追加されている。
【００７６】
図１０において、ＣＰＵ７０１は、着信種類信号のＩＤ値がブロードキャストＩＤと一致すると判断し（ステップＳＴ２０４：Ｙｅｓ）、既にに受信した着信種類信号のＩＤではないと判断し（ステップＳＴ４０２：Ｎｏ）、既報時間バッファ３０５の時間情報を更新し（ステップＳＴ４０３）、テンポラリＩＤバッファ３０１に保存してある着信種類信号のＩＤが自局ＩＤバッファ１０８に保存してある自移動機ＩＤと一致しないと判断した場合に（ステップＳＴ８０１：Ｎｏ）、送信制御装置９０１は、当該移動機を送信動作が制限された状態に移行させる制御を行う（ステップＳＴ１００１）。
【００７７】
これによって、当該移動機は、例えば、ある一定の期間（例えば、３０分）経過するまで、もしくは基地局から送信可能という信号を新たに受信するまで基地局に送信することができなくなる。当該移動機は、そのような送信規制の解除後に、ブロードキャスト情報の連続受信に移行することになる（ステップＳＴ２０７）。
【００７８】
このように、実施の形態５によれば、移動機の送信規制が行えるようにしたので、緊急時に通信回線が混雑するのを防ぐことができ、重要な人物との回線のみを確保することができるようになる。
【産業上の利用可能性】
【００７９】
本発明は、基地局が許容できる数以上の移動機に対してブロードキャスト情報を同時に送信することができるので、基地局が多数の移動機にブロードキャスト情報を送信する移動通信システムとして有用である。特に、非特定の人物の通話を制限し、特定の人物との通話回線を確保することができるので、災害時の緊急情報などのブロードキャスト情報の通信方法として好適である。
【図面の簡単な説明】
【００８０】
【図１】本発明の実施の形態１に係る移動通信システムにおける移動機の構成を示すブロック図
【図２】図１に示す移動機の受信動作を説明するフローチャート
【図３】本発明の実施の形態２に係る移動通信システムにおける移動機の構成を示すブロック図
【図４】図３に示す移動機の受信動作を説明するフローチャート
【図５】本発明の実施の形態３に係る移動通信システムにおける移動機の構成を示すブロック図
【図６】図５に示す移動機の受信動作を説明するフローチャート
【図７】本発明の実施の形態４に係る移動通信システムにおける移動機の構成を示すブロック図
【図８】図７に示す移動機の受信動作を説明するフローチャート
【図９】本発明の実施の形態５に係る移動通信システムにおける移動機の構成を示すブロック図
【図１０】図９に示す移動機の受信動作を説明するフローチャート
【図１１】従来の移動通信システムにおいて実施されているブロードキャスト情報の通信方法を説明するフローチャート
【符号の説明】
【００８１】
１０１  無線・変復調部
１０２  着信情報信号デコーダ部
１０３  着信種類信号デコーダ部
１０４  連続受信信号デコーダ部
１０５  着信応答信号エンコーダ部
１０６、３０１、５０１  テンポラリＩＤバッファ
１０７、３０２、５０２  ブロードキャストＩＤバッファ
１０８  自局ＩＤバッファ
１０９、３０４、５０３、７０１  通信制御部（ＣＰＵ）
３０３  時間情報
３０５  既報時間バッファ
５０４  ブロードキャスト情報ＩＤテンポラリバッファ
５０５  ブロードキャスト情報ＩＤバッファ
５０６  既報情報検出部
７０２  着信応答制御部
【図１】
2005311427.tif 000003
【図２】
2005311427.tif 000004
【図３】
2005311427.tif 000005
【図４】
2005311427.tif 000006
【図５】
2005311427.tif 000007
【図６】
2005311427.tif 000008
【図７】
2005311427.tif 000009
【図８】
2005311427.tif 000010
【図９】
2005311427.tif 000011
【図１０】
2005311427.tif 000012
【図１１】
2005311427.tif 000013